(57)【要約】【課題】支持板間に支持したテープ巻付体から粘着面を上側にして引き出される粘着テープの長手方向側部に非接着の折り返し重合部を連続形成して、被結束物の結束部位に周回結束できる結束用粘着テープカッターを提供する。【解決手段】一対の支持板１２ａ，１２ｂに設けられた被結束物Ｗの挿通路３４と、テープ巻付体４から引き出した粘着テープ２を挿通路３４に案内する引き出し通路３６と、挿通路３４を移動する被結束物Ｗに放射状の係合突起４０ａが当接して回転される回転係合部材４０と、該係合突起４０ａ先端が当接摺動して粘着テープ２が貼着係止される止着部材４２と、該止着部材４２を該係合突起先端に向けて付勢する圧接用付勢手段４４と、該挿通路３４内を移動する被結束物Ｗに押し回されてカッター刃５４が該止着部材直下の挿通路３４内で粘着テープ２を切断するテープ切断レバー５０と、該引き出し通路３６に設けられて該粘着テープ２の長手方向の側縁部２ｃを所定幅で粘着面側に折り返して非接着の重合部２ｄを形成する重合部形成手段６０とを備える。【選択図】      図４
2005015112.tif 000002
【特許請求の範囲】
【請求項１】
所定間隔を隔てて対向配置された一対の支持板と、
該支持板間に設けられて、片面が粘着面のテープをロール状に巻いてなる粘着テープ巻付体を回転自在に支持するテープ支持部と、
該一対の支持板に設けられた溝部によって形成され、被結束物の結束部位を上端部の挿入口から下方に向けて挿通するための挿通路と、
該テープ支持部に支持されたテープ巻付体から該粘着面を上側にして引き出される粘着テープの先端を該挿通路に案内する引き出し通路と、
所定間隔で放射状に突出する多数の係合突起を有して該一対の支持板間に回転自在に軸支されるとともに、一側部の該係合突起が該挿通路内に臨まされて該引き出し通路の下方に設けられ、該挿通路内に挿入される被結束物に該係合突起が係合して回転される回転係合部材と、
該回転係合部材の側方に位置されて該一対の支持板間に上部が揺動自在に軸支されて設けられるとともに、該回転係合体の係合突起先端が当接して摺動する湾曲した摺動面を有し、該摺動面が粘着テープの粘着面を所定の長さに亘って貼着係止するための止着部とされた止着部材と、
該止着部材の摺動面を該回転係合部材の係合突起先端に圧接させるべく付勢する圧接用付勢手段と、
該一対の支持板間に中央部が揺動自在に軸支されて該止着部材よりも下方に設けられるとともに、下端の力点側が該挿通路内に常時臨むように復帰用付勢手段によって付勢され、該力点側が該挿通路内に挿通される被結束物に係合して揺動されることにより上端部に取り付けられたカッター刃が該止着部材直下の挿通路内に出没して粘着テープを切断するテープ切断レバーとを備え、
該引き出し通路には、該粘着テープの長手方向の少なくとも一側に、その側縁を所定幅で粘着面側に折り返して非接着の摘み部となる重合部を形成する重合部形成手段が設けられていることを特徴とする結束用粘着テープカッター。
【請求項２】
前記止着部材の摺動面が、前記重合部が形成された粘着テープに残存する貼着面のみに対面するように形成されていることを特徴とする請求項１に記載の結束用粘着テープカッター。
【請求項３】
前記止着部材の上部に一端が固定され、他端が該止着部材の前記摺動面の上側部分に延びて前記回転係合部材の係合突起先端に圧着し、該係合突起先端との間で粘着テープを挟持する板バネが設けられていることを特徴とする請求項１または２のいずれかに記載の結束用粘着テープカッター。
【請求項４】
前記止着部材の圧接用付勢手段が、該止着部材をその揺動範囲の全域で付勢する低弾発力の第１スプリングと、該止着部材が所定揺動量を超えてから機能する高弾発力の第２スプリングとからなり、前記テープ切断レバーが前記被結束物の挿通路を挟んで該止着部材と反対側に配置されていることを特徴とする請求項１〜３のいずれかに記載の結束用粘着テープカッター。
【請求項５】
前記重合部形成手段が、テープ巻付体から引き出されて前記引き出し通路に挿通される該粘着テープの側縁を所定幅で上方に折り返して重合上させるべく該引き出し通路幅を粘着テープ幅よりも狭幅に幅規制する幅規制部材でなることを特徴とする請求項１〜４のいずれかに記載の結束用粘着テープカッター。
【請求項６】
前記引き出し通路における前記幅規制部材の配設位置よりも後方のテープ支持部寄りに位置させて、該幅規制部材によって形成される狭幅部内に導かれる粘着テープを上側から挿入案内するガイド部材を設けたことを特徴とする請求項５に記載の結束用粘着テープカッター。
【請求項７】
前記幅規制部材の上部後方側の粘着テープ導入部に、狭幅部の幅を徐々に狭くするテーパー面が設けられていることを特徴とする請求項５または６のいずれかに記載の結束用粘着テープカッター。
【請求項８】
前記重合部形成手段は、前記粘着テープの接着面側に配置される接着面側部材と非接着面側に配置される非接着面側部材とからなり、これら接着面側部材と非接着面側部材とに押圧接触させつつ該両部材間に該粘着テープを挿通して引き出すことにより、該粘着テープの長手方向の少なくとも一側に、その側縁を所定幅で粘着面側に折り返して非接着部となる重合部を形成するものであって、
該粘着テープの側縁部に所定の折り曲げ幅を残して該粘着面側に接触する接着面側部材としての折り曲げローラーと、
該折り曲げローラーの端面に対向配置されて、該折り曲げローラに接触していない該粘着テープ側縁の前記所定の折り曲げ幅部分の非粘着面側に押圧接触して該側縁を該折り曲げローラーの端面との間に挟んで該所定幅で粘着面側に折り曲げる前記非接着面側部材としての折り曲げガイド片と、
該折り曲げられた粘着テープ側縁の非粘着面側に押圧接触して該側縁を鋭角に折り返すガイド部を有して、該粘着テープの接着面側に配置された前記接着面側部材としての折り返しガイド片と、
該側縁が折り返された該粘着テープの非接着面に押圧接触して、該側縁が折り返された粘着テープの対向する粘着面同士を重合させて貼り合わせる前記非接着面側部材としての貼り合わせ手段とからなり、
該接着面側部材は開閉自在な開閉カバーにて支持され、
該開閉カバーは、挿通される該粘着テープに対して該接着面側部材を押圧接触させる閉位置と押圧接触させない開位置との間を開閉移動可能に設けられるとともに、該開位置では該接着面側部材を該非接着面側部材から離間させて該粘着テープの挿通路を開放することを特徴とする請求項１〜４のいずれかに記載の結束用粘着テープカッター。
【請求項９】
前記折り返しガイド片が、前記粘着テープの側縁の折り曲げ角度を略１３５度まで案内する第１のガイド部と、略１８０度まで折り返す第２のガイド部とを有することを特徴とする請求項８に記載の粘着テープカッター。
【請求項１０】
前記折り曲げガイド片に、前記折り曲げられた粘着テープ側縁の非粘着面に当接して該側縁の折れ曲がり角度を略１２０度に案内するガイド突起を突出形成したことを特徴とする請求項８または９のいずれかに記載の結束用粘着テープカッター。
【請求項１１】
前記開閉カバーが、前記粘着テープの挿通方向に対して側方に回動して開閉移動されることを特徴とする請求項８〜１０のいずれかに記載の結束用粘着テープカッター。
【発明の詳細な説明】
【０００１】
【発明の属する技術分野】
本発明は、例えば合成樹脂製の袋体の開口部等のような被結束物の結束部位を粘着テープで自動的に結束し得るようにした結束用粘着テープカッターに係わり、特に、結束した粘着テープの長手方向の側縁に沿って、当該粘着テープの剥離を容易にする指掛け用の非接着部を連続的に折り返して形成できるようにした結束用粘着テープカッターに関する。
【０００２】
【従来の技術】
粘着テープは、布、セロハン、クラフト紙、ゴム、ポリ塩化ビニルなどの薄膜状の長尺な基材の片面に、ゴムまたは合成樹脂を主材とする粘着剤を塗布したものであり、通常、この粘着テープはロール状に巻かれて粘着テープ巻付体とされて流通されている。そして、封筒や袋体、箱の蓋部等の封緘など様々な接着用途に用いられている。
また、この様な粘着テープを使用する際には、粘着テープ巻付体から粘着テープを引き出して所望の長さで切断することになるが、このような作業を容易にするためにテープカッターが用いられている。
テープカッターは粘着テープ巻付体を回転自在に支持するテープホルダと引き出された粘着テープを切断するカット部とを有しており、所望の長さに引き出した粘着テープを鋏やカッターナイフ等の道具を用いずに容易に切断して、接着対象物への貼り付けに供することができるようになっている。
【０００３】
ところで、この様な粘着テープカッターにおいて、所謂バックシーラーと称されている結束用粘着テープカッターが知られている（特開平１１−９１７３０号公報等）。このバックシーラータイプの結束用粘着テープカッターは、例えばスーパーマーケット等において食材（例えば、ピーマンや玉葱等）をビニール袋詰めにして陳列販売する場合等に多用されているものであり、食品を詰めたビニール袋の開口部付近を撚って結束操作用の挿通溝内に挿通するだけで、自動的に当該撚った開口部付近の結束部位に幅寸法が１０数ｍｍ程度の粘着テープを周回させるとともに、当該粘着テープ両端部分の粘着面同士を重合して貼着させ、これにより結束封緘した状態となして所定長さで切断するようになっている。
【０００４】
即ち、当該結束用粘着テープカッターは、以下の▲１▼〜▲８▼の構成を供えてなるものである。
▲１▼  所定間隔を隔てて対向配置された一対の支持板
▲２▼  上記支持板間に設けられて粘着テープ巻付体を回転自在に支持するテープ支持部
▲３▼  上記一対の支持板に設けられた溝部によって形成される被結束物の挿通路▲４▼  上記テープ支持部に支持されたテープ巻付体から該粘着面を上側にして引き出される粘着テープの先端を上記挿通路に案内する引き出し通路
▲５▼所定間隔で放射状に突出する多数の係合突起を有して上記一対の支持板間に回転自在に軸支されるとともに、一側部の当該係合突起が上記挿通路内に臨まされて上記引き出し通路の下方に設けられ、上記挿通路内に挿入される被結束物に上記係合突起が係合して回転させられる回転係合部材
▲６▼上記回転係合部材の側方に位置されて上記一対の支持板間に上部が揺動自在に軸支されるとともに、上記回転係合体の係合突起先端が当接して摺動する湾曲した摺動面を有し、当該摺動面が粘着テープの粘着面を所定の長さに亘って貼着係止するための止着部とされている止着部材
▲７▼上記止着部材の摺動面を上記回転係合部材の係合突起先端に圧接させるべく付勢する圧接用スプリング
▲８▼上記一対の支持板間に中央部が揺動自在に軸支されて上記止着部材よりも下方に設けられるとともに、下端の力点側が該挿通路内に常時臨むように復帰用スプリングによって付勢され、上記力点側が上記挿通路内に挿通される被結束物に係合して揺動されることにより上端部に取り付けられたカッター刃が上記止着部材直下の挿通路内に出没して粘着テープを切断するテープ切断レバー
【０００５】
【発明が解決しようとする課題】
しかしながら、上述の如き結束用途に供されている粘着テープは、一時的な仮止めに用いられることが多く、この様な場合、爾後に引き剥がされるか、あるいは切断される。
【０００６】
ここで、粘着テープは、その基材は薄く、また、基材の片面全体に粘着剤が塗布されているため、貼り付けられた粘着テープを結束対象物から引き剥がすのは甚だ面倒な作業であった。すなわち、対象物に対して接着面の全面が貼り付いた粘着テープを剥がす際には、粘着テープの外周縁部を爪等で捲り起こして摘み代を形成し、この摘み代を指先で摘んで引き剥がす必要があって、当該摘み代を捲り起こす作業は面倒で甚だ煩わしいものであり、当該粘着テープが全面に亘って貼着されていると、購入者が袋体を開封するにあたって、鋏やカッターナイフなどを使用せねばならなくなる等、その剥離操作が非常に困難で煩わしいものとなっていた。
【０００７】
本発明は上記課題を解決し得るものであって、その目的は、粘着テープの剥離を容易にするための摘み部となる非接着部を、テープ側縁を折り返して重合させることで長手方向に沿って容易に形成できる結束用粘着テープカッターを提供することにある。
【０００８】
【課題を解決するための手段】
本発明は上記の目的を達成するために、結束用粘着テープカッターを以下のように構成する。
即ち、請求項１に係る発明の結束用粘着テープカッターは、所定間隔を隔てて対向配置された一対の支持板と、該支持板間に設けられて、片面が粘着面のテープをロール状に巻いてなる粘着テープ巻付体を回転自在に支持するテープ支持部と、該一対の支持板に設けられた溝部によって形成され、被結束物の結束部位を上端部の挿入口から下方に向けて挿通するための挿通路と、該テープ支持部に支持されたテープ巻付体から該粘着面を上側にして引き出される粘着テープの先端を該挿通路に案内する引き出し通路と、所定間隔で放射状に突出する多数の係合突起を有して該一対の支持板間に回転自在に軸支されるとともに、一側部の該係合突起が該挿通路内に臨まされて該引き出し通路の下方に設けられ、該挿通路内に挿入される被結束物に該係合突起が係合して回転される回転係合部材と、該回転係合部材の側方に位置されて該一対の支持板間に上部が揺動自在に軸支されて設けられるとともに、該回転係合体の係合突起先端が当接して摺動する湾曲した摺動面を有し、該摺動面が粘着テープの粘着面を所定の長さに亘って貼着係止するための止着部とされた止着部材と、該止着部材の摺動面を該回転係合部材の係合突起先端に圧接させるべく付勢する圧接用付勢手段と、該一対の支持板間に中央部が揺動自在に軸支されて該止着部材よりも下方に設けられるとともに、下端の力点側が該挿通路内に常時臨むように復帰用付勢手段によって付勢され、該力点側が該挿通路内に挿通される被結束物に係合して揺動されることにより上端部に取り付けられたカッター刃が該止着部材直下の挿通路内に出没して粘着テープを切断するテープ切断レバーとを備え、該引き出し通路には、該粘着テープの長手方向の少なくとも一側に、その側縁を所定幅で粘着面側に折り返して非接着の摘み部となる重合部を形成する重合部形成手段が設けられていることを特徴とする。
【０００９】
請求項２に係る発明の結束用粘着テープカッターは、前記止着部材の摺動面が、前記重合部が形成された粘着テープに残存する貼着面に対面して形成されていることを特徴とする。
【００１０】
請求項３に係る発明の結束用粘着テープカッターは、前記止着部材の上部に一端が固定され、他端が該止着部材の前記摺動面の上側部分に延びて前記回転係合部材の係合突起先端に圧着し、該係合突起先端との間で粘着テープを挟持する板バネが設けられていることを特徴とする。
【００１１】
請求項４に係る発明の結束用粘着テープカッターは、前記止着部材の圧接用付勢手段が、該止着部材をその揺動範囲の全域で付勢する低弾発力の第１スプリングと、該止着部材が所定揺動量を超えてから機能する高弾発力の第２スプリングとからなり、前記テープ切断レバーが前記被結束物の挿通路を挟んで該止着部材と反対側に配置されていることを特徴とする。
【００１２】
請求項５に係る発明の結束用粘着テープカッターは、前記重合部形成手段が、テープ巻付体から引き出されて前記引き出し通路に挿通される該粘着テープの側縁を所定幅で上方に折り返して重合させるべく該引き出し通路幅を粘着テープ幅よりも狭幅に幅規制する幅規制部材でなることを特徴とする。
【００１３】
請求項６に係る発明の結束用粘着テープカッターは、前記引き出し通路における前記幅規制部材の配設位置よりも後方のテープ支持部寄りに位置させて、該幅規制部材によって形成される狭幅部内に導かれる粘着テープを上側から挿入案内するガイド部材を設けたことを特徴とする。
【００１４】
請求項７に係る発明の結束用粘着テープカッターは、前記幅規制部材の上部後方側の粘着テープ導入部に、狭幅部の幅を徐々に狭くするテーパー面が設けられていることを特徴とする。
【００１５】
請求項８に係る発明の結束用粘着テープカッターは、前記重合部形成手段は、前記粘着テープの接着面側に配置される接着面側部材と非接着面側に配置される非接着面側部材とからなり、これら接着面側部材と非接着面側部材とに押圧接触させつつ該両部材間に該粘着テープを挿通して引き出すことにより、該粘着テープの長手方向の少なくとも一側に、その側縁を所定幅で粘着面側に折り返して非接着部となる重合部を形成するものであって、該粘着テープの側縁部に所定の折り曲げ幅を残して該粘着面側に接触する接着面側部材としての折り曲げローラーと、該折り曲げローラーの端面に対向配置されて、該折り曲げローラに接触していない該粘着テープ側縁の前記所定の折り曲げ幅部分の非粘着面側に押圧接触して該側縁を該折り曲げローラーの端面との間に挟んで該所定幅で粘着面側に折り曲げる前記非接着面側部材としての折り曲げガイド片と、該折り曲げられた粘着テープ側縁の非粘着面側に押圧接触して該側縁を鋭角に折り返すガイド部を有して、該粘着テープの接着面側に配置された前記接着面側部材としての折り返しガイド片と、該側縁が折り返された該粘着テープの非接着面に押圧接触して、該側縁が折り返された粘着テープの対向する粘着面同士を重合させて貼り合わせる前記非接着面側部材としての貼り合わせ手段とからなり、該接着面側部材は開閉自在な開閉カバーにて支持され、該開閉カバーは、挿通される該粘着テープに対して該接着面側部材を押圧接触させる閉位置と押圧接触させない開位置との間を開閉移動可能に設けられるとともに、該開位置では該接着面側部材を該非接着面側部材から離間させて該粘着テープの挿通路を開放することを特徴とする。
【００１６】
請求項９に係る発明の結束用粘着テープカッターは、前記折り返しガイド片が、前記粘着テープの側縁の折り曲げ角度を略１３５度まで案内する第１のガイド部と、略１８０度まで折り返す第２のガイド部とを有することを特徴とする。
【００１７】
請求項１０に係る発明の結束用粘着テープカッターは、前記折り曲げガイド片に、前記折り曲げられた粘着テープ側縁の非粘着面に当接して該側縁の折れ曲がり角度を略１２０度に案内するガイド突起を突出形成したことを特徴とする。
【００１８】
請求項１１に係る発明の結束用粘着テープカッターは、前記開閉カバーが、前記粘着テープの挿通方向に対して側方に回動して開閉移動されることを特徴とする。
【００１９】
【発明の実施の形態】
以下に、本発明に係る粘着テープカッターおよび粘着テープの実施の形態について添付図面に基づいて詳細に説明する。
【００２０】
＝＝＝第１実施形態＝＝＝
図１〜図８は本発明に係る結束用粘着テープカッターの第１実施形態を示すものであり、図１はその外観を示す正面図、図２は平面図、図３は図１における左側面図、図４は図１における手前の支持板を外してその内部を示す図、図５は図４中の要部を拡大して示す図、図６〜図８は結束操作の過程を段階的に説明する図である。
【００２１】
図示するように、結束用粘着テープカッター１０は、所定間隔を隔てて対向配置された一対の支持板１２ａ，１２ｂを備える。各支持板１２ａ，１２ｂは後述する各種支軸やボルト等によって平行に保たれて連結されており、その各下端部には外方に向けて水平に折り曲げられて一体形成された脚部１４を有している。
【００２２】
上記支持板１２ａ，１２ｂ間には、片面を粘着面とする長尺なテープ２をロール状に巻いてなる粘着テープ巻付体４を回転自在に支持するテープ支持部１６がその一側部に位置されて設けられている。このテープ支持部１６はテープ巻付体４の上部を係止する少なくとも２個の支持ローラー１８ａ，１８ｂと、当該テープ巻付体４が飛び出さないようにその下部を係止する支持レバー２０とから構成されており、支持ローラー１８ａ，１８ｂは、一対の支持板１２ａ，１２ｂの少なくともいずれか一方に固定されている支持軸２２ａ，２２ｂに回転自在に軸支されている。
【００２３】
支持レバー２０は両支持板１２ａ，１２ｂ間に挟まれて設けられ、当該両支持板１２ａ，１２ｂ下部の中央部分に取り付けられた支持軸２２ｃに一端２０ａが揺動自在に軸支されていて、他端が上記両支持ローラ１８ａ，１８ｂの下方に向けて側方に延びている。また、支持レバー２０略中央部には当該支持レバーの他端２０ｂ側を上方に向けて回動させるべく付勢する付勢スプリング２４が設けられており、この付勢スプリング２４のバネ力により常にテープ巻付体４を上方にある２つの支持ローラ１８ａ，１８ｂに圧接係止させて、当該テープ巻付体４の支持板１２ａ，１２ｂ間からの飛び出しを防止するようになっている。ここで、本図示例では、付勢スプリング２４には引っ張りコイルスプリングが用いられており、その下端部は支持レバー２０に係止され、上端部は上方に延びて両支持板１２ａ，１２ｂ間に両端を固定されたピン２６に係止されている。また、支持レバー２０の上方には付勢スプリング２４の側方に位置して支持板１２ｂに固定されたストッパー２８が設けられていて、当該ストッパー２８によってテープ巻付体４の取り外し時において支持レバー２０が必要以上に上方へ回動するのを防止している。さらに、支持レバー２０の他端の揺動側先端は下方に折り曲げ形成されていて、テープ巻付体４の挿入が容易に行えるようになっている。
【００２４】
即ち、このようにテープ支持部１６を構成することで、従来から多用されているテープ巻付体４の中心部を支持ドラム等の回転体で支持するような構造にすることなく、粘着テープ巻付体４をテープの張力に抗して２個の支持ローラー１８ａ，１８ｂによってこれらに密着させて回転自在に、しかも脱着容易に保持することができる。
【００２５】
なお、支持ローラ１８ａ，１８ｂの一側端にはテープ幅方向の位置決め用フランジ１８ａａ，１８ｂａが拡径形成されていて、当該図示例ではそのフランジ１８ａａ，１８ｂａは支持板１２ｂ側に設けられている。一方、支持板１２ａにはテープ巻付体４の外周縁部に押圧接触して、当該テープ巻付体４を上記フランジ１８ａａ，１８ｂａに当接させるための板バネからなる押圧部材３０が設けられている。
【００２６】
また、一対の両支持板１２ａ，１２ｂの他側方には、その上端部から下方に延びて溝部３２が設けられている。この溝部３２は被結束物Ｗの結束部位、例えばビニール袋の開口部位等を、当該溝部３２の上端部に開放形成された挿入口３２ａから下方に向けて挿通するための挿通路３４を形成しており、被結束物Ｗは当該挿通路３４に沿って挿入挿通されて下端部に拡大形成されている取り出し口３２ｂから側方に抜き出されるようになっている。
【００２７】
そして、上記テープ支持部１６に支持されたテープ巻付体４から、その粘着面２ｂを上側にして引き出される粘着テープ２の先端を上記挿通路３４に案内する引き出し通路３６が支持板１２ａ，１２ｂ間に形成されている。この引き出し通路３６には、支持板１２ａ，１２ｂ上部の上記支持ローラ１８ｂの側方に位置されて、粘着テープ２の引きだし用ガイドローラー３３が設けられており、テープ巻付体４から引き出される粘着テープ２はその非接着面２ａ側が上記支持ローラ１８ｂと当該引き出し用ガイドローラ３２とに巻回されて粘着面２ｂ側が上側になるように反転させられるようになっている。
【００２８】
また、引き出し用通路３６の挿通路側端には、テープ巻付体４から引き出されて当該引きだし用通路３６に挿通される粘着テープ２に対し、その幅方向の一側縁を所定幅で上方に折り返して重合させ、その粘着面２ｂ同士を貼り合わせることで粘着テープ２の長手方向の側縁に沿って被接着部を形成するための重合部形成手段６０が設けられている。本実施形態では、当該重合部形成手段６０は前記引き出し用通路３６に挿通される粘着テープ２の側縁部２ｃを所定幅で上方に折り返して重合させるべく、当該引き出し通路幅３６を粘着テープ２の幅よりも狭幅に幅規制する板状の幅規制部材６２により構成されており、当該幅規制部材６２は引き出し用通路３６の挿通路側端に位置されて支持板１２ｂ側に設けられている。
【００２９】
ここで、望ましくは、当該幅規制部材６２によって形成する引き出し用通路３６の狭幅部３６ａへの粘着テープ２の導入を円滑に行わせるとともに幅規制部材６２側のテープ側縁部２ｃを所定幅にて上側に折り曲げ案内するために、当該幅規制部材６２には、テープ支持部側及び上部側に位置する上部後方側の粘着テープ導入部の厚みを、そのいずれか一方又は両方を徐々に薄肉に形成して、挿通路３４側の溝幅が徐々に狭まるように傾斜したテーパ面を設けるようにするのが良い。
【００３０】
また、粘着テープ２が狭幅部３６ａ内に上方から斜めに入り込むように、幅規制部材６２の上縁部よりも引き出し用ガイドローラー３３の上端部の高さを高く配置するのが良い。つまり、この引き出し用ガイドローラー３３は、引き出し通路３２における前記幅規制部材６２の配設位置よりもテープ引き出し方向後方となるテープ支持部寄りに位置されて、当該幅規制部材６２によって形成される狭幅部３６ａ内に導かれる粘着テープ２を上側から挿入案内するガイド部材となっており、当該ガイド部材としてはガイドローラー３３に限ることなくガイドピンともなし得る。
【００３１】
また、上記狭幅部３６ａには、所定間隔で放射状に突出する多数の係合突起４０ａを有した羽根車様の回転係合部材４０が、一対の支持板１２ａ，１２ｂ間に回転自在に軸支されて設けられおり、粘着テープ２は当該回転係合部材４０の係合突起４０ａ先端に巻回係止されて、挿通路３２内に導かれるようになっている。ここで、当該回転係合部材４０はその一側方部分の係合突起４２ａが挿通路３２内に臨まされて引き出し用通路３６の狭幅部３６ａ下方に設けられており、挿通路３２内に上方から挿入挿通される被結束物Ｗに係合突起４０ａが係合して、当該被結束物Ｗによって下方に押されて回転されるようになっている。この際、被結束物Ｗは回転係合部材４０の係合突起４０ａ先端に巻回されている粘着テープ２を係合突起４０ａ，４０ａ間に押し込んで回転係合部材４０を押し回すことになる。そして、この時に粘着テープ２に作用する張力によって、狭幅部３６ａにおいて上方に折り曲げられている当該粘着テープ２の側縁部２ｃが１８０°所定幅で折り返されて重合し、粘着面同士が圧着されて被接着部２ｄが連続形成されていくことになる（図６▲１▼，▲２▼参照）。
【００３２】
一方、挿入溝３２を挟んで上記回転係合部材４０の側方位置には、当該回転係合部材４０に対峙して、粘着テープ２先端部の粘着面２ｂ側を所定長さに亘って貼着して止着する止着部材４２が設けられている。この止着部材４２は一対の支持板１２ａ，１２ｂ間に掛け渡されて設けられた支軸４３にその上部が軸支されて揺動自在に設けられている。そして、回転係合体４０に対面する止着部材４２の側面部は当該回転係合体４０の係合突起４０ａ先端に当接して、当該係合突起４０ａの回転摺動を許容するように凹状に湾曲した摺動面４２ａに形成されており、当該摺動面４２ａが粘着テープ２の粘着面２ｂを所定の長さに亘って貼着係止するための止着部とされている。
【００３３】
ここで、摺動面４２ａは、その幅が上記狭幅部３６ａの幅よりも狭く形成されている。即ち、折り返されて被接着部２ｄとなった側縁部２ｃの幅分だけ、その折り返し後のテープ幅よりも更に摺動面４２ａの幅は狭く形成されて、残存する粘着面２ｂの幅に相当されている。つまり、側縁部２ｃが折り返し重合形成されてなる被接着部２ｄのテープ厚みは倍になっているため、粘着力のない当該被接着部２ｄを避けて粘着面２ｂ部分だけに摺動面４２ａが当たるようにしており、摺動面４２ａの側方には２枚分の厚みの被接着部２ｄを逃がす段差部４２ｂが形成されている。
【００３４】
また、湾曲形成された摺動面４２ａはその下方部分が上方部分よりも曲率が大きく形成されており、このため略半分から下の下方部分には係合突起４０ａの先端は当接するが、上方部分には係合突起４０ａは当接せずに離間した状態になっている。そして、この離間した部分には、回転係合部材４０の係合突起４０ａ先端に常時圧接して粘着テープ２を係止する板バネ４５が、一端部を止着部材４２の上部に片持ち状態で固定されて延出挿入されている。即ち、止着部材４２の上部に一端が固定され、他端が当該止着部材４２の摺動面４２ａの上側部分に延びて上記回転係合部材４０の係合突起４０ａ先端に圧着し、当該係合突起４０ａの先端との間で粘着テープ２を挟持する板バネ４５が設けられている
そして、上記止着部材４２には、上記摺動面４２ａを回転係合部材４０の係合突起４０ａ先端に圧接させるべく付勢する圧接用付勢手段４４が設けられている。即ち、当該圧接用付勢手段４４に付勢されて止着部材４２の摺動面４２ａの下端部は挿通路３４内に突出しており、被結束物Ｗが上方から挿通されて来ると、当該挿通路３４内に突出した下端部分にその被結束物Ｗが当接して側方の支持板１２ａ，１２ｂ間に押し戻されて挿通路３４内から待避するようになっている。そして、後に詳しく述べるが、被結束物Ｗは止着部材４２の下方まで押し下げられると、挿通路３４内を移動してきた結束部位に粘着テープ２が環状に巻回されて結束された状態にされるようになっている（図６〜図８参照）。
【００３５】
また、上記止着部材４２および回転係合部材４０の下方には、テープ切断レバー５０が両支持板１２ａ，１２ｂ間に掛け渡された支軸５１に揺動自在に支持されて設けられている。本図示例では、当該テープ切断レバー５０は被結束物Ｗの挿通路３６を挟んで、上記止着部材４２とは反対側に配置されている。上記支軸５１は挿通路３４に近接して設けられ、力点部となる一方の端部５０ａは側方の挿通路３４内に向けて延び、作用点部となる他方の端部５０ｂは上方に屈曲して回転係合部材４０の直ぐ下まで延びており、略Ｌ字状に屈曲形成されている。また、テープ切断用レバー５０は、その下方の力点側端部５０ａが挿通路３４内に常時臨むように復帰用付勢手段５２によって付勢されていて、当該力点側端部５０ａが挿通路３４内を下方に挿通移動される被結束物Ｗに係合して揺動されることにより、上方の作用点側端部５０ｂに取り付けられたカッター刃５４が止着部材４２直下の挿通路３４内に出没して、粘着テープ２を切断するようになっている。
【００３６】
また、上記復帰用付勢手段５２には、引っ張りコイルスプリングが使用されていて、この引っ張りコイルスプリング５２は一端が切断用レバー５０の屈曲部の下部に係止され、他端が前述した支軸２２ｃに係止されている。さらに、挿通路３４の下端部に形成された取り出し口３２ｂの上方には、切断用レバー５０の下面に当接して当該切断用レバー５０の過回動を規制し、その力点側端部５０ａを挿通溝３４内に止まらせて係止するストッパーピン５３が設けられている。
【００３７】
ここで、上記止着部材４２の圧接用付勢手段４４は、当該止着部材４２をその揺動範囲の全域に亘って付勢する弾性係数の低い低弾発力の第１スプリング４６と、当該止着部材４２が所定揺動量を超えてから弾発力を発生させて機能する弾性係数の高い高弾発力の第２スプリング４８とからなっている。つまり、図８に示すように、被結束部材Ｗが回転係合部材４０を押し回して下方部に至ると、その係合突起４０ａから離脱するともに止着部材４２を側方に押し込んで更に下方に進んで行くことになるが、被結束部材Ｗが止着部材４２の下方に抜けたときに、低弾発力の第１スプリング４６だけであると粘着テープ２の張力によって止着部材４２の下端部が側方に押圧された状態になり、このため止着部材４２の戻りが不安定となってしまい、結果として被結束物Ｗを結束した粘着テープ２の切断レバー５０による切断長が一定しなくなってしまう。
【００３８】
そこで、止着部材４２が所定量揺動量に達したときに止着部材４２に当接して当該止着部材４２に対する付勢力を増大させてテープ切断長を安定化させるための第２スプリング４８を設けてある。即ち、この第２スプリング４８は、支持板１２ｂに固定されて止着部材４２の摺動面４２ａの裏面側に対面して設けられている係止金具４９に一端が固着されている一方、他端は止着部材４２の摺動面４２ａ裏面側に凹設された係合孔４２ｂに挿入されていて、摺動面４２ａが係合突起に４０ａに当接している状態では当該第２スプリング４８の他端は係合孔４２ｂの底面に当接せずに若干の隙間が空いているか、あるいは自然長のままで弾発力を発揮せずに他端が軽く係合孔４２ｂの底面に接触しているだけであり、係合孔４２ｂの底面に第２スプリング４８の他端が当接した状態から更に止着部材４２が揺動すると弾発力を発揮して止着部材４２に対する付勢力が増強されるようになっている。
【００３９】
また、切断用レバー５０の力点側端部先端には、切り離された粘着テープの端部同士を圧着させてその両粘着面の接着を確実にするための圧着用レバー７０が常時押圧当接されて設けられている。この圧着用レバー７０はその下端部７０ａが支持軸７２によって揺動自在に軸支されており、引っ張りコイルバネ７４によって図示する時計回り方向に常時付勢されていて、上端部７０ｂが切断用レバー５０の力点側端部５０ａ先端面に押圧接触されている。相互に当接する圧着用レバー７０の上端部７０ｂと切断用レバー５０の力点側端部５０ａ先端面とは、ともに円弧面に形成されていて、力点側端部５０ａの先端面は半円形になっている。  即ち、被結束物Ｗが切断用レバー５０を押し下げて行き圧着用レバー７０との当接部に至ると、当該圧着用レバー７０の上端部７０ｂは被結束物Ｗにより押し戻されて力点側端部５０ａから離間し、その間を被結束物Ｗが通過する。そして、被結束物Ｗが通過すると当該被結束物Ｗの結束部位を周回して結束した粘着テープ２を力点側端部５０ａとの間で挟んで両面から押圧して圧着し、その後に切断用レバー５０のカッター刃５４が粘着テープ２を切断するようになっている。切断された粘着テープ２は圧着用レバー７０と力点側端部５０ａとの間を引き抜かれていき、その全長に亘って粘着面同士が確実に押圧接着されることになる。
【００４０】
図６〜図８は被結束物Ｗの結束部位の周囲に粘着テープが周回されて結束されていく過程を順次に示してある。（なお、これら図６〜図８において、止着部材４２を付勢する第２スプリング４８は省いてあるものがある。）即ち、図６の（１）に示すように、被結束物Ｗを挿通路に挿入する時点では、粘着テープ２は先端部が止着部材４２の摺動面４２ａに所定の長さに亘って貼着されて、回転係合部材４０の係合突起４０ａ先端間に掛け回されている。この状態で、被結束物Ｗを挿通路３４内に挿入して下方に挿通していくと、被結束物Ｗは係合突起４０ａ間に形成される凹部内に進入しながら回転係合部材を押し回していく。このとき、被結束物Ｗが当接する係合突起４０ａの先端は板バネ４５に当接しており、また先行する１つ前の係合突起４０ａの先端は止着部材４２の摺動面４２ａに当接している（図６の（２），（３）参照）。
【００４１】
回転係合部材４０が回転していくと、板バネ４５に当接して摺動する係合突起４０ａその間に挟まれた粘着テープを当該板バネに貼り付けていく。また、先行する係合突起４０ａは止着部材４２の摺動面に貼り付いた粘着テープ２の被接着面２ａを滑っていき、その粘着面２ｂを摺動面に押圧して貼着を確実なものとしていく。やがて先行する係合突起４０ａは止着部材４２の摺動面４２ａ下端から離脱する一方、被結束物Ｗが当接した係合突起４０ａが板バネ４５から離脱して粘着テープ２を介して摺動面４２ａに当接する。そして、被結束物Ｗの結束部位には、先行して板バネ４５に貼り付いていた粘着テープ２が徐々に引き剥がされて反転しながら巻き付いていく。この際、側部に２枚重ねされた非接着部２ｄがあると、当該非接着部２ｄの可撓性は低下するため粘着テープ２は反転し難くなるのであるが、粘着面２ｂが板バネ４５に確実に貼着されているので、重合された非接着部２ｄがあっても容易に、しかも円滑に粘着テープを反転させて被結束物Ｗに周回させていくことができる（図６の（３），（４）及び図７の（５）参照）。
【００４２】
さらに回転係合部材４０が回転されていくと、被結束部Ｗが当接する係合突起４０ａは摺動面４２ａに貼り付いた粘着テープ２の非接着面２ａ上を滑っていき、その貼着が更に確実なものとされていく一方、後続の係合突起４０ａの先端が板バネ４５に当接して、粘着テープ２を板バネ４５との間に挟んで係止する。このとき、被結束物Ｗに引っ張られて粘着テープ２がテープ巻付体４から引き出されてくることになり、その引き出し時に粘着テープ２に作用する張力に起因して、粘着テープ２は板バネ４５には貼り付かずに後続の係合突起４０ａの先端間に張設された状態で巻回されるとともに、引き出し通路３６の狭幅部３６ａにおいて粘着テープ２の側縁部２ｃが幅規制部材６２によって上方の粘着面に折り曲げられ、当該粘着テープに作用している張力によって更に折り返されて粘着面同士が重合し、係合突起４０ａに当接した部分が張り合わされて、非接着部が形成されていく（図７の（５）〜（７）参照）。
【００４３】
そして、更に回転係合部材４０が回転していくと、被結束物Ｗの直ぐ後ろの係合突起４０ａが板バネ４５から離脱して止着部材４２の摺動面４２ａに当接し、摺動面４２ａから剥離されて表出した粘着テープ２の粘着面２ｂに係合突起４０ａ先端に係止した粘着テープの粘着面２ｂを押し付けて仮止めする。また、これとほぼ同時に、被結束物Ｗが当接した直前の係合突起４０ａが摺動面４２ａから離脱する（図７の（８）参照）。なお、ここまでは止着部材４２は第１のスプリング４６に付勢されて比較的弱い弾発力で摺動面４２ａが係合突起４０ａに当接しており、このため回転係合部材４０に対する摩擦ブレーキ力は小さいので被結束部材Ｗによる回転係合部材４０の押し回しは小さい力で済み、操作力の軽減が図られている。
【００４４】
また、上記のように直前の係合突起４０ａが摺動面４２ａから離脱すると、被結束物Ｗは止着部材４２の摺動面４２ａ下端部に直接に当接し、当該止着部材４２を第１，第２のスプリングの付勢力に抗して側方に向けて揺動させつつ止着部材４２の下方に抜け、爾後、止着部材４２は再び係合突起４０ａに当接することになる（図８の（９）〜（１０）参照）。
【００４５】
そして、被結束物を更に下方に移動させていくと、粘着テープ２が巻回された回転係合部材４０はテープ巻付体４から引き出される粘着テープ２と共に共周りし、摺動面４２ａ先端から下方に引き出される粘着テープ２の粘着面２ｂには、摺動面４２ａに貼り付いている既に先行して引き出されていた粘着テープ２が引き剥がされつつ反転して、その両粘着面同士が貼り合わされていく。このとき摺動面４２ａに貼り付いた粘着テープ２は反転して被接着面２ａ同士が摺り合わされることになるので、粘着テープ２は抵抗なく円滑に下方に引き出し得る。また、摺動面４２ａ側に貼り付いた粘着テープ２がその全長に亘って引き剥がされつつ重合されて、所定の長さ分だけ下方に引き出されると、被結束物Ｗは切断用レバー５０を押し回して回動させ、これによりカッター刃５４が止着部材４２の下端部の直下で粘着テープを切断することになる。ここで、その切断直後において、テープ巻付体４から引き出された粘着テープ２に作用していた張力は解放されることになり、この際に粘着テープ２は一気に縮もうとするが、当該粘着テープ２は摺動面４２ａと係合突起４０ａとの間、および板バネ４５と係合渡付き突起４０ａとの間の２箇所で挟持されて係止されているので、粘着テープのスプリングバックによって当該粘着テープ２が回転係合部材４０および止着部材４２から外れてしまうことを防止でき、切断後は図６の（１）に示す状態となる。
【００４６】
従って、以上の説明から明らかなように、この結束用粘着テープカッター１０によれば、テープ巻付体４から粘着面２ｂを上側にして引き出される粘着テープ２の長手方向側部に折り返し重合させた非接着部２ｄを連続形成して、当該粘着テープ２を被結束物Ｗの結束部位に安定的に確実に周回結束することができ、爾後における当該結束した粘着テープ２の剥離を、その非接着部２ｄ摘んで容易に行えるようになる。
【００４７】
＝＝＝第２実施形態＝＝＝
図９〜図１６は本発明の第２実施形態を示すものであり、図９はその外観を示す正面図、図１０は平面図、図１１は図９における左側面図、図１２は図９における手前の支持板を外してその内部を示す図、図１３は図１２中の上部に設けられた重合部形成手段をなす側縁折り返し重合機構を示す斜視図、図１４は上記側縁折り返し重合機構の折り曲げ機構部を示す平面図、図１５は上記側縁折り返し重合機構の折り返し機構部における傾斜ガイド部分を示す縦断面図、図１６は上記側縁折り返し重合機構の折り返し機構部における切欠ガイド部分を示す縦断面図である。
【００４８】
ここで、当該第２実施形態が前述の第１実施形態と相違する点は、重合部形成手段にある。即ち、第１実施形態では引き出し通路３６の狭幅部３６ａを形成する幅規制部材６２が重合部形成手段６０となっていたが、当該第１実施形態では重合形成される非接着部２ｄには若干の皺がよってワカメ状になってしまう懸念がある。これは引き出される粘着テープ２の一側に側縁部２ｃを重合して貼り付けるにあたって、先ず最初に回転係合部材４０係合突起４０ａに当接した部分が先行して断続的に張り合わされてしまうためである。
【００４９】
このため、本第２実施形態では、より美麗に非接着部２ｄを形成できるように、第１実施形態の引き出し通路３６の途中に側縁部を連続的に折り返して重合させる側縁折り返し重合機構８０を更に付加して設けてあり、この側縁折り返し重合機構８０の構成部分のみが第１実施形態と相違する点である。よって、以下には当該側縁折り返し機構８０部分のみを説明して、第１実施形態と同一構成の部分には同一の符合を付して、その説明は省略する。なお、前述した第１実施形態の図５〜図８及びその説明は当該第２実施形態にあっても共通する。
【００５０】
図９〜図１６に示すように、本第２実施形態の結束用粘着テープカッター１０Ａにあっては、一対の支持板１２ａ，１２ｂの上部中央部が矩形に上方に延出形成され、この延出部１２ａＡ，１２ｂＡ間に重合部形成手段６０をなす側縁折り返し重合機構８０が設けられている。ここで、支持板１２ｂの延出部１２ｂＡはヒンジ１２４によって側方に開閉可能となっており、その上端部はＬ字状に屈曲されて天板部１２５が形成されていて、開閉カバーとなっている。そして、この天板部１２５には支持板１２ａの延出部１２ａＡに形成された係合孔１２６にロック片１２７を係合させて開閉カバー１２ｂＡを係脱自在に係止するロック手段１２８が設けられている。１２７ａは天板部１２５に突出されて設けられているロック片１２７の操作ノブである。
【００５１】
そして、上記側縁折り返し重合機構８０は、粘着テープ２の引き出し通路に３６において、接着（粘着）面２ｂ側に配置される接着面側部材と非接着面２ａ側に配置される非接着面側部材とからなり、これら接着面側部材と非接着面側部材とに押圧接触させつつ両部材間に粘着テープ２を挿通して引き出すことにより、粘着テープ２の長手方向の少なくとも一側に、その側縁部２ｃを所定幅で粘着面２ｂ側に折り返して非接着部２ｄとなる重合部を形成するものである。
【００５２】
この側縁折り返し重合機構８０は、図１２〜図１６に示すように、引き出される粘着テープ２の長手方向一側部の側縁部２ｃを粘着面２ｂ側の上方に略９０度まで折り曲げる折り曲げ機構部９０と、その折り曲げられた側縁部２ｃを更に略１８０度まで折り返して粘着面２ｂ同士を対面させる折り返し機構部１００、およびその対面した粘着面２ｂ同士を重合させて貼り合わせる貼り合わせ手段１１０とからなる。
【００５３】
折り曲げ機構部９０は、位置決め手段としての位置決めローラー９１と折り曲げ手段としての折り曲げローラー９２、及び折り曲げガイド片９４とにより構成されている。位置決めローラー９１は、テープ支持部１６と上記折り曲げローラー９２との間に設けられて、粘着テープ巻付体４から引き出される粘着テープ２の折り曲げローラー９２への供給位置を位置決めするものであり、テーパー状のローラー本体９１ａと、このローラー本体９１ａの端部に設けられたフランジ９１ｂとを有しており、両支持板１２ａ，１２ｂに回転自在に軸支されて取り付けられている。ローラー本体９１には粘着テープ巻付体４から引き出された粘着テープ２の非接着面２ａが押圧接触するようになっており、フランジ９１ｂには粘着テープ２の一方の側端が接するようになっている。そして、粘着テープ巻付体４から引き出された粘着テープ２を折り曲げローラー９２に向けて、その高さ位置と幅方向位置とを位置決めして案内するようになっている。
【００５４】
折り曲げローラー９２は折り返し機構部１００と位置決めローラー９１との間に位置して、開閉カバー１２ｂＡに回転自在に軸支されて取り付けられている。折り曲げローラー９２の一方の端部９２ａは引き出し通路３６を挿通される粘着テープ２の粘着面２ｂ上に位置しており、当該粘着テープ２の一側部に所定の折り曲げ幅を残して粘着面側に押圧接触する。つまり、図１４に例示するように、この折り曲げローラー９２の外周面９２ｂは、粘着テープ巻付体４から引き出される粘着テープ２の粘着面２ｂに対して、その全幅に亘っては接触されずに所定範囲部分にだけ接し、折り曲げ予定幅とされた側縁部２ｃの粘着面２ｂには接しないようになっている。また、この外周面９２ｂには多数の溝部が形成されており、粘着面２ｂとの接触面積を減少させて粘着テープ２と接着されるのを防止するようになっている。そして、位置決めローラー９１によって案内される粘着テープ２の一側部をその端面９２ａ部分で折り曲げて、この折り曲げ状態で折り返し機構部１００方向へ案内するようになっている。なお、本実施の形態においては、折り曲げローラー９２は円筒状に形成されているがこれに限らず、粘着テープ２の粘着面２ｂの所定の位置に接する薄い外周面を有する円盤形のものとしてもよい。
【００５５】
また。折り曲げローラー９２の端面９２ａに対向配置されて、当該折り曲げローラ９２に接触していない粘着テープ２の側縁部２ｃを所定の折り曲げ幅で粘着面２ｂ側に折り曲げるべく、当該折り曲げ幅部分の側縁部２ｃの非粘着面２ｂ側に押圧接触して、当該側縁部２ｃを折り曲げローラー９２の端面９２ａとの間に挟んで所定幅で粘着面２ｂ側に折り曲げる、非接着面側部材としての折り曲げガイド片９４が支持板１２ｂに設けられている。ここで、当該折り曲げガイド片９４は折り曲げローラー９２の端面外周縁よりも更に折り返し機構２０側を指向してローラー９２の径方向外方に延びており、その延出端部には略９０度に折り曲げられた粘着テープ２の側縁部２ｃの非粘着面２ｂに当接して、当該側縁部２ｃの折り曲げ角度θを略１２０度に、つまり粘着面側で略６０度の鋭角に狭めるように案内するガイド突起９５が三角形状に突出形成されて設けられている。
【００５６】
折り返し手段としての折り返し機構部１００は、図１５と図１６とに示すように折り曲げられた粘着テープ２の側縁部２ｃの非粘着面２ｂ側に押圧接触して、当該側縁部２ｃを略１８０度まで折り返すためのガイド部を有した折り返しガイド片でなる。本実施形態にあっては、この折り返しガイド片は、図１５に示すように前記粘着テープ２の側縁部２ｃの折り曲げ角度θを略１３５度（粘着面同士の角度で略４５度の鋭角）まで案内して狭める第１のガイド部としての傾斜ブロック１０１と、この傾斜ブロック１０１に隣接配置されて上記折り曲げ角度を略１８０度まで案内して折り返す、第２のガイド部としての切欠ブロック１０２とから構成されており、本実施形態では両ブロック１０１，１０２は樹脂で一体形成されて粘着テープ２上方の接着面２ａ側に配置されて、開閉カバー１２ｂＡに取り付けられている。
【００５７】
即ち、傾斜ブロック１０１は、引き出し通路３６における粘着テープ２の粘着面２ｂに対して鋭角となる傾斜角（≒４５度）を有する傾斜面１０１ａを備え、切欠ブロック１０２はくさび形に切欠形成された傾斜面１０２ａを備えており、かつ当該切り欠きブロック１０２の下方には、粘着テープの下側の被接着面２ａ側に当接して当該切り欠きブロック１０２に粘着テープ２を押圧接触させる押圧ローラ１０３が両端を一対の支持板１２ａ，１２ｂに軸支されて設けられている。
【００５８】
貼り合わせ手段１１０は、図１２に示すように、側縁部２ｃが折り返された粘着テープ２の対向する粘着面同士を重合させて貼り合わせるものであって、当該側縁部２ｃが折り返された粘着テープ２の接着面側と非接着面側とに配設される少なくとも上下一対の押圧部材からなり、本第２実施形態では、当該押圧部材は一対の支持板１２ａ，１２ｂに軸支されて粘着テープ２の下側にその挿通方向の前後に配されて並設された２つの下側ガイドローラー１１１，１１２と、これら下側ガイドローラ１１１，１１２の間に位置されて粘着テープの上側に設けられる上側ガイドローラ１１３との３つから構成されており、上側ガイドローラ１１３は開閉カバー１２ｂＡに回転自在に軸支されて設けられている。そして、これらの下側ガイドローラー１１１，１１２と上側ガイドローラ１１３とは側縁部２ｃが折り返された該粘着テープ２にその両面から押圧接触する。また、上側ガイドローラー１１３の外周面４２ａにはその略中央部に、開閉カバー１２ｂＡを閉じる時に、粘着テープ２の側縁エッヂ部を係止して、側縁部２ｃの折り曲げを案内する係止溝１１３ａが形成されている。
【００５９】
開閉カバーとしての開閉カバー１２ｂＡは、引き出し通路３６に挿通される粘着テープ２に対して、当該開閉カバー１２ｂＡに取り付けられた接着面側部材を押圧接触させる閉位置と押圧接触させない開位置とに切り替えて両位置間を移動して開閉可能に設けられるとともに、開位置では接着面側部材を非接着面側部材から離間させて粘着テープ２の引き出し通路３６をその全長に亘って開放するようになっている。また、開閉カバー１２ｂＡは、粘着テープ２の挿通方向に対して側方に回動して開閉移動されるようになっている。
【００６０】
即ち、本実施形態では、図１０と図１１とに示すように、開閉カバー１２ｂＡは下端部が支持板１２ｂの上端部にヒンジ１２４を介して回動自在に取り付けられており、当該開閉カバー１２ｂＡを側方に開くことによって、この開閉カバー１２ｂＡに支持された折り曲げローラー９２、傾斜ブロック１０１、切欠ブロック１０２、上側ガイドローラ１１３等の接着面側部材が、位置決めローラー９１，折り曲げガイド片９４，押圧ローラ１０３，および下側ガイドローラー１１１，１１２等の非接着面側部材に対して回動して離れるようになっている。つまり、開閉カバー５を開くことにより、傾斜ブロック１０１、切欠ブロック１０２，折り曲げローラー９２，上側ガイドローラ１１３は粘着テープ２から離れて、当該粘着テープ２の引き出し通路３６が全長に亘って開放されるようになっている。
【００６１】
そして、上記のように構成された側縁折り返し重合機構８０に粘着テープ２をセットするあたっては、テープ巻付体４から引き出した粘着テープ２を非接着面側部材上に浮かして張った状態で支持しながら、開閉カバー１２ｂＡを閉じていき、当該開閉カバー１２ｂＡに取り付けられた傾斜ブロック１０１の先端を粘着テープ２の側縁部２ｃ下面に挿入するとともに、側縁部２ｃのエッヂを上側ガイドローラ１１３の係止溝１１３ａに引っ掛けて係止し、この状態で開閉カバーをゆっくりと閉じていく。これにより、係止溝１１３ａにエッヂが係止された粘着テープ２の側縁部２ｃは粘着面側に折り返されて粘着面同士が重合された状態になる。このとき重合部の幅には予定幅よりも大小する誤差が生じてしまうが、位置決めローラー９１から貼り合わせ手段１１０の出口までの距離分以上に粘着テープ２を引き出せば、側縁折り返し重合機構８０の折り曲げローラー９２、折り曲げガイド片９４、傾斜ブロック１０１、切欠ブロック１０２、ガイドローラー１１１，１１２，１１３等が機能して、折り曲げ幅を予定幅に自動調節しつつ、側縁部２ｃを徐々に滑らかに折り曲げながら連続的に重合圧着させて、皺のない美麗な折り曲げ重合状態の非接着部２ｄを有した粘着テープ２が繰り出されてくる。
【００６２】
即ち、  傾斜ブロック１０１の傾斜面２１ａには粘着テープ２の一方の側端つまり側部における非接着面２ａが接するようになっており、粘着テープ２の一方の側端は粘着面２ｂを内側として鋭角に折り曲げられることになる。
【００６３】
また、切欠ブロック１０２においては、粘着テープ２は、傾斜ブロック１０１により折り曲げられた状態で導入され、傾斜面１０２ａで徐々にその折り曲げ度合いを増し、対向する粘着面２ｂ同士がほぼ平行となるまで折り曲げられる。つまり、粘着テープ２の一方の側端には粘着面２ｂを内側とした重合部が連続的に形成されることになる。
【００６４】
また、折り返し機構部１００により形成される重合部の寸法は、折り曲げローラー９２により所定の寸法に規制されるようになっている。すなわち、図１４に示すように、折り曲げローラー９２はその端部９２ａが粘着テープ２の粘着面２ｂ上に位置するようになっているため、重合部はこの端部９２ａを越えて折り曲がることが規制されてその寸法が一定に保たれるようになっている。
【００６５】
また、この折り曲げローラー９２により規制される重合部の寸法は、粘着テープ２と折り曲げローラー９２との幅方向の位置関係により変化することになる。そのため、このテープカッター１０Ａでは、折り曲げローラー９２に粘着テープ２を案内する位置決めローラー９１により、粘着テープ２の幅方向の位置を規制させるようにしている。つまり、位置決めローラー９１のフランジ９１ｂと接する粘着テープ２の側端は、重合部が形成される際に生じる張力によりその重合部形成側に向かって、つまり図１４中の下方に向かって移動しようとするが、粘着テープ２の側端はこの位置決めローラー９１のフランジ９１ｂに接触することにより移動が制限されているため、粘着テープ２の幅方向の位置は常に一定に保たれることになる。
【００６６】
折り返し機構部１００により重合部が形成された粘着テープ２は、図１２に示すように、下側ガイドローラー１１１，１１２と上側ガイドローラー１１３との間を挿通される。このとき、粘着テープ２が各ガイドローラー１１１，１１２，１１３に押圧接触して与えらる張力により、その重合部の対向する粘着面２ｂ同士が互いに押し付けられて、粘着面２ｂの一方の側端つまり側部に側縁部２ｃが折り返されて重合された非接着部２ｄが形成されることになる。
【００６７】
このような一連の行程は、粘着テープ巻付体４から順次粘着テープ２を引き出すことにより連続的に行われることになる。
【００６８】
そして、この一側に非接着部２ｄが重合形成された粘着テープ２を引き出し通路３６の狭幅部３６ａを通過させてその先端部を被結束部材Ｗの挿通路３４上に導き、当該粘着テープ２の上方から挿通路３４内に被結束部Ｗを挿入挿通させれば、前述の第１実施形態で説明した図６の（１）の状態になって粘着テープ２のセットが完了することになる。
【００６９】
このように、このテープカッター１０Ａを用いることにより、粘着テープ２の粘着面２ｂの一方の側端に剥離時に摘み部として機能する非接着部分２ｄを、ワカメ状のような皺を発生させることなく美麗に形成して、被結束物Ｗの結束部位に安定的に、かつ確実に周回させて結束することができ、爾後の粘着テープの剥離も容易に行えるようになる。
【００７０】
【発明の効果】
以上の実施形態で詳細に説明したように、本発明に係る結束用粘着テープカッターによれば、テープ巻付体から粘着面を上側にして引き出される粘着テープの長手方向側部に非接着の折り返し重合部を連続形成して、当該粘着テープを被結束物の結束部位に安定的に確実に周回結束することができ、爾後の粘着テープの剥離が容易に行えるようになる。
【図面の簡単な説明】
【図１】本発明に係る結束用粘着テープカッターの第１実施形態の外観を示す正面図である。
【図２】図１のテープカッターの平面図である。
【図３】図１における左側面図である。
【図４】図１における手前の支持板を外してその内部を示す図である。
【図５】図４中の要部を拡大して示す図である。
【図６】図１〜図５に示すテープカッターによる結束操作の過程を段階的に説明する図である。
【図７】同上、図１〜図５に示すテープカッターによる結束操作の過程を段階的に説明する図である。
【図８】同上、図１〜図５に示すテープカッターによる結束操作の過程を段階的に説明する図である。
【図９】本発明に係る結束用粘着テープカッターの第２実施形態の外観を示す正面図である。
【図１０】図９のテープカッターの平面図である。
【図１１】図９における左側面図である。
【図１２】図９における手前の支持板を外してその内部を示す図である。
【図１３】図１２中の上部に設けられた重合部形成手段をなす側縁折り返し重合機構を示す斜視図である。
【図１４】上記側縁折り返し重合機構の折り曲げ機構部を示す平面図である。
【図１５】上記側縁折り返し重合機構の折り返し機構部における傾斜ガイド部分を示す縦断面図である。
【図１６】上記側縁折り返し重合機構の折り返し機構部における切欠ガイド部分を示す縦断面図である。
【符号の説明】
Ｗ    被結束物
２    粘着テープ
２ａ  粘着テープの非粘着面（非接着面）
２ｂ  粘着テープの粘着面（接着面）
２ｃ  粘着テープの側縁部（折込側）
２ｄ  粘着テープの非接着部（重合部）
４    テープ巻付体
１０，１０Ａ    結束用粘着テープカッター
１２    支持板                    １２ｂＡ  開閉カバー
１６    テープ支持部
３２    溝部                      ３２ａ  挿入口
３３    ガイド部材                ３４    挿通路
３６    引き出し通路              ３６ａ  狭幅部
４０    回転係合部材              ４０ａ  係合突起
４２    止着部材                  ４２ａ  摺動面（止着部）
４４    圧接用付勢手段            ４５    板バネ
４６    第１スプリング            ４８    第２スプリング
５０    テープ切断レバー
５２    復帰用付勢手段（引っ張りコイルスプリング）
５４    カッター刃                ６０    重合部形成手段
６２    幅規制部材                ９２    折り曲げローラー
９４    折り曲げガイド片          ９５    ガイド突起
１００    折り返し機構部（折り返しガイド片）
１０１    第１のガイド部
１０２    第２のガイド部
１１０    貼り合わせ手段
１１１，１１２    下側ローラー
１１３    上側ローラー
【図１】
2005015112.tif 000003
【図２】
2005015112.tif 000004
【図３】
2005015112.tif 000005
【図４】
2005015112.tif 000006
【図５】
2005015112.tif 000007
【図６】
2005015112.tif 000008
【図７】
2005015112.tif 000009
【図８】
2005015112.tif 000010
【図９】
2005015112.tif 000011
【図１０】
2005015112.tif 000012
【図１１】
2005015112.tif 000013
【図１２】
2005015112.tif 000014
【図１３】
2005015112.tif 000015
【図１４】
2005015112.tif 000016
【図１５】
2005015112.tif 000017
【図１６】
2005015112.tif 000018